【手続補正書】
【提出日】平成16年1月26日(2004.1.26)
【手続補正１】
【補正対象書類名】明細書
【補正対象項目名】特許請求の範囲
【補正方法】変更
【補正の内容】
【特許請求の範囲】
【請求項１】
レーザー結晶と出力ミラーとからなる光共振器と、この光共振器に対してポンピングするためのレーザー光源とからなるパルスレーザー光源と、このパルスレーザー光源を駆動するためのパルス駆動手段と、前記パルスレーザー光源からのパルスレーザー光束を平面に照射するための回転部と、この回転部を回転させるための回転駆動手段と、前記回転部の回転を検出するための回転検出手段と、前記パルス駆動手段の駆動タイミングと回転検出手段の検出信号とに基づき、前記回転駆動手段を制御して、前記パルスレーザーの射出タイミングと前記回転部の回転とを同期させるための演算処理手段とを有し、前記パルスレーザー光束を毎回同じ位置に照射される回転レーザー照射装置。
【請求項２】
パルス周期を調整することにより、同じ位置に照射される出射光量を調整する請求項１記載の回転レーザー照射装置。
【請求項３】
パルスのデューティ比を制御することにより、同じ位置に照射される出射光量を調整する請求項１記載の回転レーザー照射装置。
【請求項４】
パルスレーザー光束を毎回同じ位置に照射される条件は、パルスレーザー光源の発光時間幅をＴｐ−ｏｎ とし、パルスレ ーザー光源の消灯時間をＴｐ−ｏｆｆ、照射手段の角速度をω「オメガ」（ｒａｄ／ ｓ）、パルスレーザーの光束の断面直径をφ、回転レーザー照射装置から被照射物までの距離をＲとすれば、
Ｔｐ−ｏｎ ＜ φ／（Ｒ＊ω）
φ／（Ｒ＊ω）＜Ｔｐ−ｏｆｆ
となる様に、回転駆動手段が照射手段を回転させる請求項１記載の回転レーザー照射装置。
【手続補正２】
【補正対象書類名】明細書
【補正対象項目名】０００８
【補正方法】変更
【補正の内容】
【０００８】
【課題を解決するための手段】
本発明は上記課題に鑑み案出されたもので、レーザー結晶と出力ミラーとからなる光共振器と、この光共振器に対してポンピングするためのレーザー光源とからなるパルスレーザー光源と、このパルスレーザー光源を駆動するためのパルス駆動手段と、前記パルスレーザー光源からのパルスレーザー光束を平面に照射するための回転部と、この回転部を回転させるための回転駆動手段と、前記回転部の回転を検出するための回転検出手段と、前記パルス駆動手段の駆動タイミングと回転検出手段の検出信号とに基づき、前記回転駆動手段を制御して、前記パルスレーザーの射出タイミングと前記回転部の回転とを同期させるための演算処理手段とを有し、前記パルスレーザー光束を毎回同じ位置に照射される構成となっている。


【手続補正３】
【補正対象書類名】明細書
【補正対象項目名】０００９
【補正方法】変更
【補正の内容】
【０００９】
また本発明は、パルス周期を調整することにより、同じ位置に照射される出射光量を調整する構成にすることもできる。


【手続補正４】
【補正対象書類名】明細書
【補正対象項目名】００１０
【補正方法】変更
【補正の内容】
【００１０】
更に本発明は、パルスのデューティ比を制御することにより、同じ位置に照射される出射光量を調整する構成にすることもできる。


【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
また本発明のパルスレーザー光束を毎回同じ位置に照射される条件は、パルスレーザー光源の発光時間幅をＴｐ−ｏｎ とし、パルスレ ーザー光源の消灯時間をＴｐ−ｏｆｆ、照射手段の角速度をω「オメガ」（ｒａｄ／ ｓ）、パルスレーザーの光束の断面直径をφ、回転レーザー照射装置から被照射物までの距離をＲとすれば、
Ｔｐ−ｏｎ ＜ φ／（Ｒ＊ω）
φ／（Ｒ＊ω）＜Ｔｐ−ｏｆｆ
となる様に、回転駆動手段が照射手段を回転させる構成にすることもできる。


【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
【発明の実施の形態】
以上の様に構成された本発明は、パルスレーザー光源が、レーザー結晶と出力ミラーとからなる光共振器と、光共振器に対してポンピングするためのレーザー光源とからなっており、パルス駆動手段がパルスレーザー光源を駆動し、回転部が、パルスレーザー光源からのパルスレーザー光束を平面に照射し、回転駆動手段が回転部を回転させ、回転検出手段が回転部の回転を検出し、演算処理手段が、
パルス駆動手段の駆動タイミングと回転検出手段の検出信号とに基づき、回転駆動手段を制御して、パルスレーザーの射出タイミングと回転部の回転とを同期させる様になっており、パルスレーザー光束を毎回同じ位置に照射されることができる。


【手続補正９】
【補正対象書類名】明細書
【補正対象項目名】００１５
【補正方法】変更
【補正の内容】
【００１５】
また本発明は、パルス周期を調整することにより、同じ位置に照射される出射光量を調整することもできる。


【手続補正１０】
【補正対象書類名】明細書
【補正対象項目名】００１６
【補正方法】変更
【補正の内容】
【００１６】
更に本発明は、パルスのデューティ比を制御することにより、同じ位置に照射される出射光量を調整することもできる。


【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】変更
【補正の内容】
【００１８】
また本発明のパルスレーザー光束を毎回同じ位置に照射される条件は、パルスレーザー光源の発光時間幅をＴｐ−ｏｎ とし、パルスレ ーザー光源の消灯時間をＴｐ−ｏｆｆ、照射手段の角速度をω「オメガ」（ｒａｄ／ ｓ）、パルスレーザーの光束の断面直径をφ、回転レーザー照射装置から被照射物までの距離をＲとすれば、
Ｔｐ−ｏｎ ＜ φ／（Ｒ＊ω）
φ／（Ｒ＊ω）＜Ｔｐ−ｏｆｆ
となる様に、回転駆動手段が照射手段を回転させることもできる。


【手続補正１３】
【補正対象書類名】明細書
【補正対象項目名】００１９
【補正方法】削除
【補正の内容】
【手続補正１４】
【補正対象書類名】明細書
【補正対象項目名】００９９
【補正方法】変更
【補正の内容】
【００９９】
【効果】
以上の様に構成された本発明は、レーザー結晶と出力ミラーとからなる光共振器と、この光共振器に対してポンピングするためのレーザー光源とからなるパルスレーザー光源と、このパルスレーザー光源を駆動するためのパルス駆動手段と、前記パルスレーザー光源からのパルスレーザー光束を平面に照射するための回転部と、この回転部を回転させるための回転駆動手段と、前記回転部の回転を検出するための回転検出手段と、前記パルス駆動手段の駆動タイミングと回転検出手段の検出信号とに基づき、前記回転駆動手段を制御して、前記パルスレーザーの射出タイミングと前記回転部の回転とを同期させるための演算処理手段とを有し、前記パルスレーザー光束を毎回同じ位置に照射される様に構成されているので、分散する光エネルギを、点状に集中させることができ、同じ平均出力であっても輝度の高い点状間欠線を描くことができ、視認距離を飛躍的に増大させることができるという効果がある。